(57)【要約】【課題】  多開口金属板をドアフレームと別部材とすることにより、製造が簡単で設計や製造の自由度や視認性を高めることができ、その上電磁波の漏洩を防止することのできる高周波加熱装置の扉及びこの扉を備えた高周波加熱装置を提供する。【解決手段】  周辺部にチョークカバー１２で覆れたチョーク部６を有し中央に開口部５が設けられたドアフレーム３と、中央に開口部９を有しドアフレーム３が収容されるドアカバー８と、ドアフレーム３の庫外側及び開口部５を覆って設けられた外ガラス１０及び内ガラス７と、多数の開口部を有しドアフレーム３の開口部５を覆って接合された多開口金属板１５とを備え、この多開口金属板１５をその全周にわたって使用高周波の波長の４分の１以下のピッチでドアフレーム３に接合した。【選択図】        図２
2006266525.tif 000002
【特許請求の範囲】
【請求項１】
周辺部にチョークカバーで覆れたチョーク部を有し中央に開口部が設けられたドアフレームと、中央に開口部を有し前記ドアフレームが収容されるドアカバーと、前記ドアフレームの庫外側及び開口部を覆って設けられた外ガラス及び内ガラスと、多数の開口部を有し前記ドアフレームの開口部を覆って接合された多開口金属板とを備え、
該多開口金属板をその全周にわたって使用高周波の波長の４分の１以下のピッチで前記ドアフレームに接合したことを特徴とする高周波加熱装置の扉。
【請求項２】
前記多開口金属板を、バーリングかしめ又はスポット溶接によりドアフレームに接合したことを特徴とする請求項１記載の高周波加熱装置の扉。
【請求項３】
前記多開口金属板の開口部を、円形又は六角形の小孔の密集体で形成したことを特徴とする請求項１又は２記載の高周波加熱装置の扉。
【請求項４】
前記多開口金属板を、ドアフレームと同じ金属材料で形成したことを特徴とする請求項１〜３のいずれかに記載の高周波加熱装置の扉。
【請求項５】
前記多開口金属板を、可視光を反射しにくい色に塗装したことを特徴とする請求項１〜４のいずれかに記載の高周波加熱装置の扉。
【請求項６】
請求項１〜５のいずれかの扉を備えたことを特徴とする高周波加熱装置。
【発明の詳細な説明】
【技術分野】
【０００１】
本発明は、被調理物を高周波により加熱する高周波加熱装置の扉及びこの扉を備えた高周波加熱装置に関するものである。
【背景技術】
【０００２】
従来の高周波加熱装置に、１枚板からなり周辺部にチョークカバーで保護された電磁波漏洩防止のためのチョーク部を有し、中心部に内部を視認するための多数の穴が型抜きされ、庫内側に内ガラスが取付けられたドアフレームを、外ガラスを介して内部視認用の開口部を有するドアカバーに取付けられた扉を備えたものがある（例えば、特許文献１参照）。
【０００３】
【特許文献１】特開平１１−１４１８８９号公報（第２−３頁、図１）
【発明の開示】
【発明が解決しようとする課題】
【０００４】
特許文献１に記載の高周波加熱装置においては、扉のドアフレームに設けた視認用の多数の穴を型抜きによるいわゆるパンチング穴で形成する際、穴のゆがみをなくすために、板厚の厚い金属板を用いたり穴の間隔を大きくするなど、視認性が悪いばかりでなく製造時の制約事項が多く、穴の開口率を高めたり穴を丸形以外の複雑な形状にすることが困難であり、扉の視認部の設計の自由度が低いという問題があった。
【０００５】
本発明は、上記の課題を解決するためになされたもので、多開口金属板をドアフレームと別部材とすることにより、製造が簡単で設計や製造の自由度や視認性を高めることができ、その上電磁波の漏洩を防止することのできる高周波加熱装置の扉及びこの扉を備えた高周波加熱装置を提供することを目的としたものである。
【課題を解決するための手段】
【０００６】
本発明に係る高周波加熱装置の扉は、周辺部にチョークカバーで覆れたチョーク部を有し中央に開口部が設けられたドアフレームと、中央に開口部を有し前記ドアフレームが収容されるドアカバーと、前記ドアフレームの庫外側及び開口部を覆って設けられた外ガラス及び内ガラスと、多数の開口部を有し前記ドアフレームの開口部を覆って接合された多開口金属板とを備え、該多開口金属板をその全周にわたって使用高周波の波長の４分の１以下のピッチで前記ドアフレームに接合したものである。
また、本発明に係る高周波加熱装置は、上記の扉を備えたものである。
【発明の効果】
【０００７】
本発明に係る高周波加熱装置の扉は、庫内を視認する開口部を有する多開口金属板を、ドアフレームと別部材で形成してドアフレームの開口部を覆って接合するようにしたので、視認のための開口部の寸法、形状、開口率を認意に定めることができ、これにより製造が容易であるばかりでなく、開口部の設計の自由度を高めることができる。
また、この多開口金属板を、全周にわたって使用高周波の波長の４分の１以下のピッチでドアフレームに接合するようにしたので、接合部からの電磁波の漏洩を防止することができる。
【０００８】
また、本発明に係る高周波加熱装置は、上記の扉を備えたので、庫内の視認が容易で使い勝手がよく、その上安全である。
【発明を実施するための最良の形態】
【０００９】
図１は本発明の一実施の形態に係る高周波加熱装置の外観斜視図である。
高周波加熱装置の本体１の内部には加熱室（図示せず）が設けられており、加熱室の底面や側面に導波管を介して接続されたマグネトロンから発振されたマイクロ波や、加熱室の天面あるいは背面に設けられたヒータにより、加熱室内に収容された被調理物を加熱し、調理する。
【００１０】
調理にあたっては、使用者が高周波加熱装置の本体１の前面側開口部に開閉自在に設けられた扉２を開けて被調理物を加熱室内に収容し、扉２を閉じて本体１の前面に設けた操作パネル１４を操作し、また表示器の表示を確認して調理を行い、調理が終ったときは扉２を開いて被調理物を取出す。
【００１１】
次に、上記の高周波加熱装置の扉２について、図２〜図４により説明する。なお、図２は図１の扉２の要部断面図、図３は図１の扉２の分解斜視図、図４は図２の多開口金属板の正面図である。
扉２を構成するドアフレーム３は、外周が櫛歯状に形成され、中央部に段部４を介して長方形状の開口部５が設けられ、また、周縁部には庫外側に突出する断面四角形状のチョーク部６が設けられて額縁状に形成されている。そして、段部４に囲まれ領域の庫内側には開口部５を覆うように内ガラス７がシリコン接着剤などにより接着されており、開口部５の庫外側には、ドアフレーム３と別部材からなり、内ガラス７と対向して多数の開口部１７を有する多開口金属板１５が接合されている。
【００１２】
このように構成したドアフレーム３は、開口部９を有する額縁状のドアカバー８内に外ガラス１０を介して収容されて固定される。これにより、ドアカバー８の開口部９、多開口金属板１５、ドアフレーム３の開口部５を通して庫内を視認することができる。１１はドアカバー８の庫外側上部に設けられた扉開閉用のハンドル、１２は開口部１３を有し、ドアフレーム３の庫内側に取付けられてチョーク部６を保護するチョークカバーである。
【００１３】
上述の多開口金属板１５は、図４に示すように、薄い金属板（例えば、板厚０．１〜１ｍｍ程度）からなり、外周縁の接合部１６を除く領域には多数の小孔からなる開口部１７（図には斜線で示してある）が設けられている。この開口部１７は、例えば図５に示すように、円形の小孔１７ａを密に設けた集合体、あるいは図６に示すように、六角形の小孔１７ｂを密に設けた集合体によって構成されている。これにより、この開口部１７は、可視光を透過すると共に、電磁波の漏洩を防止することができるので、視認性と電磁波漏洩防止の両立をはかることができる。なお、上記の開口部１７の小孔１７ａ，１７ｂの形状は一例を示すもので、他の形状であってもよい。
【００１４】
上記のような多開口金属板１５は外周部に設けた接合部１６の全周にわたって、ドアフレーム３の開口部５の周縁の庫外側に、ピッチＰにより例えばバーリングかしめの如き点接合１８によって接合される。この場合、点接合１８のピッチＰは必ずしも一定である必要はないが、使用する高周波の波長の４分の１以下であることが必要である。
【００１５】
発明者らは、使用周波数２．４５ＧＨｚ、１０００Ｗ入力の電子レンジにおいて、汎用の鉄製のパンチングメタルを多開口金属板１５として使用し、接合部１６をバーリングかしめによってドアフレーム３に接合した扉２を用い、その点接合１８のピッチＰを種々変えた場合の電磁波漏洩量を測定した。なお、接合部１６の点接合１８以外の部分は、ドアフレーム３と多開口金属板１５との間に意図的に０．１ｍｍ程度のすき間を設けた。これは製造上のばらつきやゆがみ等の影響を考慮したものである。
【００１６】
測定結果を図７に示す。図から明らかなように、点接合１８のピッチＰが例えば１１０ｍｍの場合は、電磁波漏洩量が５０ｍＷ／ｃｍ2、６０ｍｍの場合は約３２ｍＷ／ｃｍ2と多いが、ピッチＰが３５〜３０ｍｍになると電磁波漏洩量が急激に減少することがわかった。
この点接合１８のピッチＰの寸法３５〜３０ｍｍは、使用高周波の波長の約４分の１にあたり、万一、多開口金属板１５のドアフレーム３への接合あたり、ゆがみが発生した場合にも、点接合１８のピッチＰを使用高周波の波長の４分の１以下とすることにより、電磁波の漏洩を防止できる寸法に制限されることになるため、電子レンジにおける法規制値である電磁波漏洩量１．０ｍＷ／ｃｍ2以下に抑制することができる。
【００１７】
上記の説明では、板厚の薄い金属板に密に設けた小孔の集合体により開口部１７を形成した場合を示したが、枠状の接合部１６の開口部に金網を取付けて多開口金属板１５を形成してもよい。
また、多開口金属板１５をバーリングかしめによりドアフレーム３に接合した場合を示したが、スポット溶接により接合してもよく、この場合も点接合１８のピッチＰは、使用高周波の波長の４分の１以下とすることが必要である。
【００１８】
さらに、多開口金属板１５（又は接合部１６）をドアフレーム３と同種の材料で形成すれば、熱膨張率の差がなくなるため接合時のゆがみなどを防止することができるので、より効果的である。
また、庫内を視認するにあたり、多開口金属板に可視光を反射しにくい黒色などのつや消塗装をすれば、視認性をさらに高めることができる。
【図面の簡単な説明】
【００１９】
【図１】本発明の一実施形態に係る高周波加熱装置の斜視図である。
【図２】図１の扉の要部断面図である。
【図３】図１の扉の分解斜視図である。
【図４】図２の多開口金属板の正面図である。
【図５】図４の多開口金属板の開口部の一例を示す説明図である。
【図６】図４の多開口金属板の開口部の他の例を示す説明図である。
【図７】多開口接合板をドアフレームに接合する点接合のピッチと電磁波漏洩量との関係を示す線図である。
【符号の説明】
【００２０】
１  本体、２  扉、３  ドアフレーム、５  開口部、６  チョーク部、７  内ガラス、８  ドアカバー、９  開口部、１０  外ガラス、１２  チョークカバー、１５  多開口金属板、１６  接合部、１７  開口部、１８  点接合、Ｐ  点接合のピッチ。
【図１】
2006266525.tif 000003
【図２】
2006266525.tif 000004
【図３】
2006266525.tif 000005
【図４】
2006266525.tif 000006
【図５】
2006266525.tif 000007
【図６】
2006266525.tif 000008
【図７】
2006266525.tif 000009